(57)【要約】      （修正有）【課題】分割光幹線ケーブルを安全に設置し、各フロア用の光分岐線ケーブルの光学特性試験を行なって、光幹線ケーブルの布設作業を早期に終了させることができる建物の光幹線ケーブルの設置方法および分割光幹線ケーブルを得る。【解決手段】複数階の建物躯体が仕上がった状態で各フロア用の光分岐線ケーブルが分岐処理された分割光幹線ケーブルを、該建物躯体に設置する下部の分割光幹線ケーブルの設置工程と、前記各フロア用の光分岐線ケーブルの光学特性試験を行なう下部の光学特性試験工程と、上部の複数階の建物躯体が仕上がった状態で上部の分割光幹線ケーブルの上部を建物躯体の上部に固定させるとともに、下端部を下部の分割光幹線ケーブルの上端部と接続する上部の分割光幹線ケーブルの設置工程および、上部の分割光幹線ケーブルの各フロア用の光分岐線ケーブルの光学特性試験を行なう上部の光学特性試験工程とを含む。【選択図】図１
2008191600.tif 000002
【特許請求の範囲】
【請求項１】
複数階の建物躯体が仕上がった状態で各フロア用の光分岐線ケーブルが分岐処理された分割光幹線ケーブルを、該建物躯体に設置する下部の分割光幹線ケーブルの設置工程と、この下部の分割光幹線ケーブルの設置工程後に前記各フロア用の光分岐線ケーブルの光学特性試験を行なう下部の光学特性試験工程と、前記下部の分割光幹線ケーブル設置工程後に、上部の複数階の建物躯体が仕上がった状態で上部の分割光幹線ケーブルの上部を建物躯体の上部に固定させるとともに、下端部を前記下部の分割光幹線ケーブル設置工程で設置された下部の分割光幹線ケーブルの上端部と接続する上部の分割光幹線ケーブルの設置工程および、上部の分割光幹線ケーブルの設置工程後に上部の分割光幹線ケーブルの各フロア用の光分岐線ケーブルの光学特性試験を行なう上部の光学特性試験工程とを含むことを特徴とする建物の光幹線ケーブルの設置方法。
【請求項２】
複数階の建物躯体が仕上がった状態で各フロア用の光分岐線ケーブルが分岐処理された分割光幹線ケーブルを、該建物躯体に設置する下部の分割光幹線ケーブルの設置工程と、この下部の分割光幹線ケーブルの設置工程後に前記各フロア用の光分岐線ケーブルの光学特性試験を行なう下部の光学特性試験工程と、前記下部の分割光幹線ケーブル設置工程後に、さらに複数階の建物躯体が仕上がった状態で分割光幹線ケーブルの下端部を下部階に設置されている分割光幹線ケーブルの上端部と接続して、該建物躯体に設置する少なくとも１回以上の中間の分割光幹線ケーブルの設置工程および、設置された中間の分割光幹線ケーブルの各フロア用の光分岐線ケーブルの光学特性試験を少なくとも１回以上行なう中間の光学特性試験工程を順次行なう中間設置工程と、この中間設置工程で設置された後に最上部の複数階の建物躯体が仕上がった状態で上端部に吊り下げ具が取付けられた上部の分割光幹線ケーブルの吊り下げ具を建物躯体の上部に設けられた係止具に係止させるとともに、下端部を前記中間設置工程で設置された中間の分割光幹線ケーブルの上端部と接続する上部の分割光幹線ケーブルの設置工程および、上部の分割光幹線ケーブルの設置工程後に上部の分割光幹線ケーブルの各フロア用の光分岐線ケーブルの光学特性試験を行なう上部の光学特性試験工程とを含むことを特徴とする建物の光幹線ケーブルの設置方法。
【請求項３】
下部の分割光幹線ケーブルの上部と上部の分割光幹線ケーブルの下部とはコネクタ接続されることを特徴とする請求項１、２いずれか記載の建物の光幹線ケーブルの設置方法。
【発明の詳細な説明】
【技術分野】
【０００１】
本発明は建物の光幹線ケーブルの設置方法おに関する。
【背景技術】
【０００２】
従来、建物の光幹線ケーブルを設置する場合、建物躯体が仕上がった後、該建物の高さ寸法分の長さの光幹線ケーブルをウインチやクレーンを用いて吊り上げて、吊り下げ状態に設置した後、各フロア用の光分岐線ケーブルを分岐した後、各フロア用の光分岐線ケーブルの光学特性試験工程を行なっていた。
【０００３】
このため、建物の高さとほぼ同じ長さの光幹線ケーブルを用いているため、高層になればなる程、重くなり、布設作業が大変で、危険な作業になるという欠点があるとともに、建物の躯体が仕上がった後でなければ布設作業や光学特性試験作業ができず、光幹線ケーブルの布設のために建物の完了が遅くなるという欠点があった。
【特許文献１】特開２００３−２７９８２０
【発明の開示】
【発明が解決しようとする課題】
【０００４】
本発明は以上のような従来の欠点に鑑み、高層建築物の躯体が仕上がった後の光ケーブルの配線のための時間を短縮し、かつ光ケーブルそのものおよび配線にかるがコストの低減を目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は複数階の建物躯体が仕上がった状態で各フロア用の光分岐線ケーブルが分岐処理された分割光幹線ケーブルを、該建物躯体に設置する下部の分割光幹線ケーブルの設置工程と、この下部の分割光幹線ケーブルの設置工程後に前記各フロア用の光分岐線ケーブルの光学特性試験を行なう下部の光学特性試験工程と、前記下部の分割光幹線ケーブル設置工程後に、上部の複数階の建物躯体が仕上がった状態で上部の分割光幹線ケーブルの上部を建物躯体の上部に固定させるとともに、下端部を前記下部の分割光幹線ケーブル設置工程で設置された下部の分割光幹線ケーブルの上端部と接続する上部の分割光幹線ケーブルの設置工程および、上部の分割光幹線ケーブルの設置工程後に上部の分割光幹線ケーブルの各フロア用の光分岐線ケーブルの光学特性試験を行なう上部の光学特性試験工程とからなり、本発明では、複数本の光ケーブルを繋ぎ合わせて最下層階から最上層階までの一連長のケーブルとする。
光ケーブルの分割は一度に組み上げられる躯体の階数に合わせる。当該光ケーブルの幹線から分岐される分岐線の数もそれが配線される躯体の階数に合わせる。
これにより、躯体が組み上げられるたびにその部分に光ケーブルを配線し、上層の躯体が組み上げられている間に光ケーブルの配線および試験が完了することができる。
【０００７】
本発明は複数階の建物躯体が仕上がった状態で両端部に多心接続コネクタが取付けられ、各フロア用の光分岐線ケーブルが分岐処理された分割光幹線ケーブルを、該建物躯体に設置する下部の分割光幹線ケーブルの設置工程と、この下部の分割光幹線ケーブルの設置工程後に前記各フロア用の光分岐線ケーブルの光学特性試験の測定を行なう下部の光学特性試験工程と、前記下部の分割光幹線ケーブル設置工程後に、さらに複数階の建物躯体が仕上がった状態で分割光幹線ケーブルの下端部の多心接続コネクタを下部階に設置されている分割光幹線ケーブルの上端部の多心接続コネクタと接続して、該建物躯体に設置する少なくとも１回以上の中間の分割光幹線ケーブルの設置工程および、設置された中間の分割光幹線ケーブルの各フロア用の光分岐線ケーブルの光学特性試験を少なくとも１回以上行なう中間の光学特性試験工程を順次行なう中間設置工程と、この中間設置工程で設置された後に最上部の複数階の建物躯体が仕上がった状態で上端部に吊り下げ具が取付けられた上部の分割光幹線ケーブルの吊り下げ具を建物躯体の上部に設けられた係止具に係止させるとともに、下端部の多心接続コネクタを前記中間設置工程で設置された中間の分割光幹線ケーブルの上端部の多心接続コネクタと接続する上部の分割光幹線ケーブルの設置工程および、上部の分割光幹線ケーブルの設置工程後に上部の分割光幹線ケーブルの各フロア用の光分岐線ケーブルの光学特性試験を行なう上部の光学特性試験工程とで建物の光幹線ケーブルの設置方法を構成している。
【発明の効果】
【０００８】
以上の説明から明らかなように、本発明にあっては次に列挙する効果が得られる。
【０００９】
(１)  躯体が仕上がってから一連長の長さの光ケーブルを配線するのに比べて、最後の躯体が組み上げられる以前に配線及び試験された光ケーブル分だけ、配線及び試験の時間が短縮され、躯体が仕上がってからの光ケーブルの配線及び試験のための工期が短縮される。
【００１０】
（２）ウインチ等で一連長の光ケーブルを吊り上げるのに比べて、本発明ではケーブルを吊り上げる距離が短く吊り上げるための大がかりな設備等を必要とせず設置が容易。敷設コストも低減できる。
【００１１】
（３）下から２本目以降の光ケーブルでは、その下の階までに配線された心線の数だけ幹線に含まれる心線を減らすことができる。
したがって、光ケーブルのコストが低減できる。
【００１２】
（４）請求項２も前記（１）〜（３）と同様な効果が得られる。
【００１３】
（５）請求項３も前記（１）〜（３）と同様な効果が得られるとともに、下部の分割光幹線ケーブル、および上部の分割光幹線ケーブルは、各フロア用の光分岐線ケーブルが同じように分岐処理されたものを多心接続コネクタの接続によって使用することができる。
したがって、接続作業が容易であり、施行コストの低減を図ることができる。
【発明を実施するための最良の形態】
【００１４】
以下、図面に示す本発明を実施するための最良の形態により、本発明を詳細に説明する。
【００１５】
図１ないし図７に示す本発明を実施するための最良の第１の形態において、１は新築の建物に光幹線ケーブルを設置する本発明の建物の光幹線ケーブルの設置方法で、この建物の光幹線ケーブルの設置方法１は複数階、例えば３階〜１０階、本発明の実施の形態では４フロア程度の建物躯体２が仕上がった状態で両端部に多心接続コネクタ３、４が取付けられ、各フロア用の光分岐線ケーブル５、５、５、５が分岐処理された下部の分割光幹線ケーブル６を、該建物躯体２に取付け具７を用いて設置する下部の分割光幹線ケーブルの設置工程８と、この下部の分割光幹線ケーブルの設置工程８後に前記各フロア用の光分岐線ケーブル５、５、５、５の光学特性試験を行なう下部の光学特性試験工程９と、前記下部の分割光幹線ケーブル設置工程８後に、さらに複数階、例えば３階〜１０階、本発明の実施の形態では４フロア程度の建物躯体２Ａが仕上がった状態で、前記下部の分割光幹線ケーブルと同じ分割光幹線ケーブル６の下端部の多心接続コネクタ３を下部階に設置されている分割光幹線ケーブル６の上端部の多心接続コネクタ４と接続して、該建物躯体２Ａに取付け具７を用いて設置する少なくとも１回以上の中間の分割光幹線ケーブルの設置工程１０および、設置された中間の分割光幹線ケーブル６の各フロア用の光分岐線ケーブル５、５、５、５の光学特性試験を少なくとも１回以上行なう中間の光学特性試験工程１１を順次行なう中間設置工程１２と、この中間設置工程１２で設置された後に最上部の複数階、例えば３階〜１０階、本発明の実施の形態では４フロア程度の建物躯体２Ｂが仕上がった状態で、上端部に吊り下げ具１３が取付けられた上部の分割光幹線ケーブル１４の吊り下げ具１３を建物躯体２Ｂの上部に設けられた係止具１５に係止させるとともに、下端部の多心接続コネクタ３を前記中間設置工程１２で設置された上部の中間の分割光幹線ケーブル６の上端部の多心接続コネクタ４と接続する上部の分割光幹線ケーブルの設置工程１６および、上部の分割光幹線ケーブルの設置工程１６後に上部の分割光幹線ケーブル１４の各フロア用の光分岐線ケーブル５、５、５、５の光学特性試験を行なう上部の光学特性試験工程１７とで構成されている。
【００１６】
前記下部の分割光幹線ケーブル６および中間の分割光幹線ケーブル６は同じ構造のもので、１０個のスロット１８が所定間隔で形成されたスロットロッド１９と、このスロットロッド１９の１０個のスロット１８にそれぞれ３枚ずつ挿入された４心のテープ心線２０、２０、２０と、前記スロットロッド１９の外周部に巻き付けられた押え巻２１と、この押え巻２１の外周部を覆うシース２２と、このシース２２の各フロアに位置する部位を切り欠き、所定のテープ心線２０を引き出して形成した先端部にキャップ２３が取付けられた各フロア用の光分岐線ケーブル５、５、５、５と、この各フロア用の光分岐線ケーブル５、５、５、５を引き出した部位の切り欠き２４を自己融着テープ２５や熱収縮チューブ２６で覆うカバー部２７とで構成されている。
【００１７】
上記構成の建物の光幹線ケーブルの設置方法１は、複数階、例えば３階〜１０階、本発明の実施の形態では４フロア程度の建物躯体２が仕上がった状態で次の複数階、例えば３階〜１０階、本発明の実施の形態では４フロア程度の建物躯体２Ａが仕上がるまでに分割光幹線ケーブル６および光分岐線ケーブル５、５、５、５の配線および光分岐線ケーブル５、５、５、５の光学特性試験を行なうことができ、従来のようにすべての建物躯体が仕上がってからの光幹線ケーブルの設置や各フロアへの光分岐線ケーブルの設置および、これらの光学特性試験を行なわなくてもよく、工数を著しく短縮することができる。
なお、本発明の実施の形態では４フロア程度の建物躯体２Ａが仕上がった状態状態で光幹線ケーブルを設置するものについて説明したが、例えば２８階のビルの場合、７階ずつ組み上げるとすると、全建物躯体２Ａの長さの４分割した長さの割光幹線ケーブル６を４個用いればよく、躯体仕上がり後の工程短縮が図れる。
また、試験のための人手を４分の１に減らすことができる。
さらに、最下層から最上層まで一本のケーブルを敷設する(引き上げる、又は落とす)のに比べ、短いケーブルを引き上げる、又は落とす方が作業が容易。１回の作業で取り扱うケーブルの重量が軽くなり、吊り上げ装置も必要となり、その分コストも低減できる。
例えば３００心のケーブルを配線する場合、従来は、幹線は下から上まで３００心、途中で分岐されて使用されない心線であっても幹線の下端から上端まである。
本発明の実施の形態では、１から４階は３００心、４から８階は２３０心、８から１２階は１６０心と上に行く程心線を減らせる。心線が減る分、ケーブルの重量が軽くなり、ますます取扱が容易となる。
長いケーブルは歩留まりが悪く単価も高い。例えば、製造途中にどこか一箇所でも切れれば、全体が使用できなくなる。長くなるほど、途中で切れる危険が増す。本発明の分割光幹線ケーブルは短いので、途中で切れる危険も少なく、比較的歩留まりがよくコストも低減される。
また、上述のように上で使用するケーブルほど心線数が少なくムダがない。ますますコストを減らすことができる。
さらに、建物の高さになっては、下部の分割光幹線ケーブルと上部の分割光幹線ケーブルの２つでよい場合もある。
[発明を実施するための異なる形態]
【００１８】
次に、図８ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図８ないし図１０に示す本発明を実施するための第２の形態において、前記本発明を実施するための最良の第１の形態と主に異なる点は、下部階に設置する主端子盤２８が離れていても接続できるように下部を長くした下部の分割光幹線ケーブル６Ａを用いて下部の分割光幹線ケーブルの設置工程８Ａを行なった点で、このような下部の分割光幹線ケーブルの設置工程８Ａを用いた建物の光幹線ケーブルの設置方法１Ａを行なっても、前記本発明を実施するための最良の第１の形態と同様な作用効果が得られる。
【００２０】
図１１ないし図１３に示す本発明を実施するための第３の形態において、前記本発明を実施するための最良の第１の形態と主に異なる点は、３階用の上部の分割光幹線ケーブル１４Ａを用いて上部の分割光幹線ケーブルの設置工程１６Ａを行なった点で、このような上部の分割光幹線ケーブルの設置工程１６Ａを用いた建物の光幹線ケーブルの設置方法１Ｂを行なっても、前記本発明を実施するための最良の第１の形態と同様な作用効果が得られる。
【００２１】
図１４ないし図１６に示す本発明を実施するための第４の形態において、前記本発明を実施するための最良の第１の形態と主に異なる点は、１０フロア程度の建物躯体２が仕上がった状態で両端部に多心接続コネクタ３、４が取付けられ、各フロア用の光分岐線ケーブル５が分岐処理された下部の分割光幹線ケーブル６を、該建物躯体２に取付け具７を用いて設置する下部の分割光幹線ケーブルの設置工程８と、この下部の分割光幹線ケーブルの設置工程８後に前記各フロア用の光分岐線ケーブル５の光学特性試験を行なう下部の光学特性試験工程９と、前記下部の分割光幹線ケーブル設置工程８後に、さらに最上部の１０フロア程度の建物躯体２Ｂが仕上がった状態で、上端部に吊り下げ具１３が取付けられた上部の分割光幹線ケーブル１４の吊り下げ具１３を建物躯体２Ｂの上部に設けられた係止具１５に係止させるとともに、下端部の多心接続コネクタ３を前記下部の分割光幹線ケーブルの設置工程８で設置された上部位置の下部の中間の分割光幹線ケーブル６の上端部の多心接続コネクタ４と接続する上部の分割光幹線ケーブルの設置工程１６および、上部の分割光幹線ケーブルの設置工程１６後に上部の分割光幹線ケーブル１４の各フロア用の光分岐線ケーブル５、５、５、５の光学特性試験を行なう上部の光学特性試験工程１７を行なった点で、このような建物の光幹線ケーブルの設置方法１Ｃを行なっても、前記本発明を実施するための最良の第１の形態と同様な作用効果が得られる。
【００２２】
なお、前記本発明を実施する各形態では下部の分割光幹線ケーブル６、６Ａの中間の分割光幹線ケーブル６および、上部の分割光幹線ケーブル１４、１４Ａとして１０個のスロットが形成され、該１０個のスロットに３枚ずつの４心のテープ心線を挿入したものについて説明したが、本発明はこれに限らず、複数個のスロットに複数枚のテープ心線を挿入したものを用いてもよい。
また、３階〜１０階分の長さのものを用いてもよい。
さらに、前記本発明を実施する各形態では下部の分割光幹線ケーブル６、６Ａ、中間の分割光幹線ケーブル６および上部の分割光幹線ケーブル１４、１４Ａや、下部の分割光幹線ケーブル６、６Ａと上部の分割光幹線ケーブル１４、１４Ａの上下端部に多心接続コネクタ３、４を取付けて接続するものについて説明したが、本発明はこれに限らず、下部の分割光幹線ケーブル６、６Ａ、中間の分割光幹線ケーブル６および上部の分割光幹線ケーブル１４、１４Ａや、下部の分割光幹線ケーブル６、６Ａと上部の分割光幹線ケーブル１４、１４Ａの上下端部を接続できれば、どんな接続具、接続方法を用いてもよい。
【産業上の利用可能性】
【００２３】
本発明は建物の光幹線ケーブルを設置する産業および分割光幹線ケーブルを製造する産業で利用される。
【図面の簡単な説明】
【００２４】
【図１】本発明を実施するための最良の第１の形態の工程図。
【図２】本発明を実施するための最良の第１の形態の下部の分割光幹線ケーブルの正面図。
【図３】本発明を実施するための最良の第１の形態の分岐部の拡大断面図。
【図４】図２の４−４線に沿う拡大断面図。
【図５】本発明を実施するための最良の第１の形態の下部の分割光幹線ケーブルの設置工程の説明図。
【図６】本発明を実施するための最良の第１の形態の中間の分割光幹線ケーブルの設置工程の説明図。
【図７】本発明を実施するための最良の第１の形態の上部の分割光幹線ケーブルの設置工程の説明図。
【図８】本発明を実施するための第２の形態の工程図。
【図９】本発明を実施するための第２の形態の下部の分割光幹線ケーブルの設置工程の説明図。
【図１０】本発明を実施するための第２の形態の下部の光幹線ケーブルの説明図。
【図１１】本発明を実施するための第３の形態の工程図。
【図１２】本発明を実施するための第３の形態の上部の分割光幹線ケーブルの設置工程の説明図。
【図１３】本発明を実施するための第３の形態の上部の分割光幹線ケーブルの説明図。
【図１４】本発明を実施するための第４の形態の工程図。
【図１５】本発明を実施するための第４の形態の下部の分割光幹線ケーブルの設置工程の説明図。
【図１６】本発明を実施するための第４の形態の上部の分割光幹線ケーブルの説明図。
【符号の説明】
【００２５】
１、１Ａ、１Ｂ：建物の光幹線ケーブルの設置方法、
２、２Ａ、２Ｂ：建物躯体、                  ３、４：多心接続コネクタ、
５：光分岐線ケーブル、                          ６：下部の分割光幹線ケーブル、          
７：取付け具、                                                        
８：下部の分割光幹線ケーブルの設置工程、
９：下部の光学特性試験工程、
１０：中間の分割光幹線ケーブルの設置工程、              
１１：中間の光学特性試験方法、
１２：中間の設置工程、                          １３：吊り下げ具、 
１４、１４Ａ：上部の分割光幹線ケーブル、
１５：係止具、
１６、１６Ａ：上部の分割光幹線ケーブルの設置工程、
１７：上部の光学特性試験工程、
１８：スロット、                                      １９：スロットロッド、
２０：テープ心線、                                  ２１：押え巻、
２２：シース、                                                        ２３：キャップ、
２４：切り欠き、                                      ２５：自己融着テープ、
２６：熱収縮チューブ、                          ２７：カバー部、
２８：主端子盤。 
【図１】
2008191600.tif 000003
【図２】
2008191600.tif 000004
【図３】
2008191600.tif 000005
【図４】
2008191600.tif 000006
【図５】
2008191600.tif 000007
【図６】
2008191600.tif 000008
【図７】
2008191600.tif 000009
【図８】
2008191600.tif 000010
【図９】
2008191600.tif 000011
【図１０】
2008191600.tif 000012
【図１１】
2008191600.tif 000013
【図１２】
2008191600.tif 000014
【図１３】
2008191600.tif 000015
【図１４】
2008191600.tif 000016
【図１５】
2008191600.tif 000017
【図１６】
2008191600.tif 000018